(57)【要約】【課題】本発明は、丸い野菜や果物の皮を剥く際、子供も大人も指に怪我や爪にキズを入れることが多く、これを改善し安全に皮を剥くことができ、さらに、芯抜きや切り割ができ、また、ニンジン・ゴボウなどの長もの野菜にも対応できる安全ピーラーに関するものである。【解決の手段】握った時、刃先が指に添える位置よりも前にあり、且つ、透明指ガード板に守られて、子供でもケガの心配のない安全ピーラー。  以上を特徴とする指・爪のケガの心配のない安全ピーラーである。【選択図】図１
2018057783.tif 000002
【特許請求の範囲】
【請求項１】
把持部及びピーラー刃を備える本体部と、本体部に取り付けられて外部へ伸びるハンドスコップ状の芯くり抜き刃体部とによって成るが、
本体部は、
軽く丸めた子供の手の平でも添え握れる様な膨らみ面を有する略矩形の基材版において、
膨らみ面側の長手二辺の一方の長手辺縁沿いに、透明板で成るガード板・即ちそこに掛け添えた親指と人差し指で挟むように指添えする透明指ガード板が設立されて把持部を成し、
同じ長手辺縁において、透明指ガード板の立設方向とは反対側へ、且つ垂下よりも外側へ裾広がり様に斜面を成して伸びる刃取り付け板が備わり、その上端縁際に、透明指ガード板に平行しつつ少し間隔を置く形で、ピーラー刃が固定的に設置されているのであるが、
ピーラー刃の左右両端には、そこを根元として取り外し式に設置された芯くり抜き刃体部が設けてあり、
芯くり抜き刃体部は、刃取りつけ板の斜面沿いに少し下がって程なく、そこから細長いハンドスコップ状を成して、約１５０°角度で下方へ、即ち透明指ガーゴ板の位置・立設方向とは反対方向へ伸びていが、
このハンドスコップ状の、
根本側約５分の２領域は平らな面でリンゴ等食材受け台部を成し、
先端は食材の芯部に深く突き刺す突き差し刃部を成し、
食材受け台から突き差し刃部に至る両側刃は、切り分け刃部を成が
全体的にこのような構成にある時、透明指ガード板の天頂中央部〜ピーラー刃の上端中央部〜突き差し刃部の尖端を結ぶ線は、凡そ同一平面上の一直線となることを特徴とする指・爪にケガの心配がない安全ピーラー。
【発明の詳細な説明】
【技術分野】
【０００１】  本発明は、子供でも怪我の心配なく安心して使えるピーラー。
【背景技術】
【０００２】  従来のピーラーで、リンゴや梨など丸い食材の皮むきの際、指が刃先の前にでないようにするガードが無く、ナイフで皮を剥く作業と同様に刃と指が接近し過ぎる構造のため、指に怪我や爪にキズを入れることが多い、・実登文献１参照）
【先行技術文献】
【０００３】
【特許文献１】  実登３０５９０４０  号公報
【発明の概要】
【発明が解決しようとする課題】
【０００４】  文献１に示される先行技術は、丸い食材の皮むきは出来るが、それ以外の長もの食材には使用できない。また、丸い食材であっても直径の大きな食材には、使用できず不便である。指が刃先の前にでないようにするガードが無く刃と指が接近し過ぎ、指に怪我や爪にキズを負うことが多かった。
本発明は、以上の問題点を解決されたものである。
【課題を解決するための手段】
【０００５】  把持部及びピーラー刃を備える本体部と、本体部に取り付けられて外部へ伸びるハンドスコップ状の芯くり抜き刃体部とによって構成される。
本体部は、軽く丸めた子供の手の平でも添え握れる様な膨らみ面を有する略矩形状の基材板において、膨らみ面側の長手二辺の一方の長手辺縁沿いに、透明板で成るガード板・即ちそこに掛け添えた親指と人差し指で挟むように指添えする透明指ガード板が立設されて把持部を成し、同じ長手辺縁において、透明指ガード板の立設方向とは反対側へ、且つ垂下よりも外側へ裾広がり様に斜面を成して伸びる刃取り付け板が備わり、刃取り付け板の上端際に、透明指ガード板に平行しつつ少し間隔を置く形で、ピーラー刃が固定的に設置されている。
ピーラー刃の左右両端には、そこを根元として取り外し式に設置された芯くり抜き刃体部が設けてある。芯くり抜き刃体部は、刃取り付け板の斜面沿いに少し下がって程なく、そこから細長いハンドスコップ状を成して、約１５０°角度で下方へ、即ち透明指ガーゴ板の位置・立設方向とは反対方向へ伸びているが、このハンドスコップ状の、根元側約５分の２領域は平らな面でリンゴ等食材受け台部を成し、先端は食材の芯部に深く突き刺す突き差し刃部を成し、食材受け台から突き差し刃部に至る両側刃は、切り分け刃部を成し、切り分け刃部は刃先が僅かに透明指ガード板の立設方向へ湾曲して形成されている。
この様な構成にある時、透明指ガード板の天頂中央部〜ピーラー刃の上端中央部〜突き差し刃部の尖端を結ぶ線は、凡そ同一平面上の一直線となる。
以上を特徴とする指・爪のケガの心配のない安全ピーラーである。
【発明の効果】
【０００６】本発明は、リンゴや丸い食材の皮を剥く時も、指先が刃の前に出ても指ガードに遮られて刃先に触れないよう安全に使用できる。刃体の下部に刃と連動した芯繰り抜き刃体部を設け、その受け台は先端をスコップ状にし、スコップの両側を仮刃にして芯抜きや、切り分けもでき、透明な指ガード板を設けた事により指の怪我や爪にキズを負う心配のない安全ピーラーである。
【図面の簡単な説明】
【０００７】
【図１】  本発明の斜視図
【図２】  本発明の一部である本体部の斜視図
【図３】  本発明の一部である芯くり抜き刃体の斜視図
【発明を実施するための形態】
【０００８】  以下、本発明の実施の形態を説明する。
把持部及びピーラー刃（７）を備える本体部（１）と、本体部に取り付けられて外部へ伸びるハンドスコップ状の芯くり抜き刃体部（２）とによって構成される。本体部（１）は、軽く丸めた子供の手の平でも添え握れる様な膨らみ面（４）を有する略矩形の基材版（３）において、膨らみ面（４）側の長手二辺の一方の長手辺縁沿いに、透明板で成るガード板・即ちそこに掛け添えた親指と人差し指で挟むように指添えする透明指ガード板（５）が設立されて把持部を成し、同じ長手辺縁において、透明指ガード板の立設方向とは反対側へ、且つ垂下よりも外側へ裾広がり様に斜面を成して伸びる刃取り付け板（６）が備わり、刃取り付け板の上端際に、透明指ガード板（５）に平行しつつ少し間隔を置く形で、ピーラー刃（７）が固定的に設置されている。）
ピーラー刃（７）の左右両端には、そこを根元として取り外し式に設置された芯くり抜き刃体部（２）が設けてある。芯くり抜き刃体部（２）は、刃取りつけ板（６）の斜面沿いに少し下がって程なく、そこから細長いハンドスコップ状を成して、約１５０°角度で下方へ、即ち透明指ガーゴ板（５）の位置・立設方向とは反対方向へ伸びているが、このハンドスコップ状の、根本側約５分の２領域は平らな面でリンゴ等食材受け台部（８）を成し、先端（１３）は食材の芯部に深く突き刺し突き差し刃部（１０）を成し、食材受け台から突き差し刃部（１０）に至る。
両側刃は、切り分け刃部（９）を成し、切り分け刃部（９）は刃先が僅かに透明指ガード板（５）の立設方向へ湾曲して形成されている。
この様な構成である時、透明指ガード板（５）の天頂中央部（１１）〜ピーラー刃の上端中央部（１２）〜突き差し刃部（１０）の先端（１３）を結ぶ線は、凡そ同一平面上の一直線となる。これにより、ニンジン・ゴボウなどの長もの野菜にも対応できる安全ピーラーである。
【符号の説明】
【０００９】１  本体部    ２  芯くり抜き刃体部    ３  基材版
４  膨らみ面    ５  透明指ガード板    ６  刃取り付け版
７  ピーラー刃    ８  食材受け台    ９  切り分け刃部
１０  突き差し刃部    １１  天頂中央部    １２  上端中央部
１３  尖端
【図１】
2018057783.tif 000003
【図２】
2018057783.tif 000004
【図３】
2018057783.tif 000005